【手続補正書】
【提出日】令和2年1月22日(2020.1.22)
【手続補正１】
【補正対象書類名】明細書
【補正対象項目名】発明の名称
【補正方法】変更
【補正の内容】
【発明の名称】発光素子、正孔輸送層用材料、発光素子用材料、発光装置、電子機器、および照明装置
【手続補正２】
【補正対象書類名】特許請求の範囲
【補正対象項目名】全文
【補正方法】変更
【補正の内容】
【特許請求の範囲】
【請求項１】
一対の電極間に、下記式（Ｇ１）で表される有機化合物（ただし、Ｐ−８８で表される化合物を除く）を有する発光素子。
【化１】
2017139457.tif 000001
（但し、式（Ｇ１）中、Ｒ１乃至Ｒ８はそれぞれ独立に、水素、炭素数１乃至６の炭化水素基、炭素数３乃至６の環式炭化水素基、炭素数１乃至６のアルコキシ基、シアノ基、ハロゲン、炭素数１乃至６のハロアルキル基、置換または無置換の炭素数６乃至６０の芳香族炭化水素基のいずれか一を表す。また、ＡおよびＢはそのどちらか一方が下記式（ｇ１）で表される基であり、他方が水素、炭素数３乃至６の環式炭化水素基、炭素数１乃至６のアルコキシ基、シアノ基、ハロゲン、炭素数１乃至６のハロアルキル基、炭素数１乃至６の炭化水素基、置換または無置換の炭素数６乃至６０の芳香族炭化水素基のいずれか一を表す。）
【化２】
2017139457.tif 000002
（但し、式（ｇ１）中、Ａｒ１、Ａｒ２はそれぞれ独立に、置換または無置換の炭素数６乃至６０の芳香族炭化水素基、下記式（ｇ２）で表される基のいずれか一を表す。）
【化３】
2017139457.tif 000003
（但し、式（ｇ２）中、Ｒ１１乃至Ｒ１８はそれぞれ独立に、水素、炭素数１乃至６の炭化水素基、炭素数３乃至６の環式炭化水素基、炭素数１乃至６のアルコキシ基、シアノ基、ハロゲン、炭素数１乃至６のハロアルキル基、置換または無置換の炭素数６乃至６０の芳香族炭化水素基のいずれか一を表す。また、Ｚ１およびＺ２のどちらか一方が式（ｇ１）における窒素原子と結合しており、他方が水素、炭素数３乃至６の環式炭化水素基、炭素数１乃至６のアルコキシ基、シアノ基、ハロゲン、炭素数１乃至６のハロアルキル基、炭素数１乃至６の炭化水素基、置換または無置換の炭素数６乃至６０の芳香族炭化水素基のいずれか一を表す。）
【化４】
2017139457.tif 000004
【請求項２】
一対の電極間に、下記式（Ｇ１）で表される有機化合物を有する発光素子。
【化５】
2017139457.tif 000005
（但し、式（Ｇ１）中、Ｒ１乃至Ｒ８はそれぞれ独立に、水素、炭素数１乃至６の炭化水素基、炭素数３乃至６の環式炭化水素基、炭素数１乃至６のアルコキシ基、シアノ基、ハロゲン、炭素数１乃至６のハロアルキル基、置換または無置換の炭素数６乃至６０の芳香族炭化水素基のいずれか一を表す。また、ＡおよびＢはそのどちらか一方が下記式（ｇ１）で表される基であり、他方が水素、炭素数３乃至６の環式炭化水素基、炭素数１乃至６のアルコキシ基、シアノ基、ハロゲン、炭素数１乃至６のハロアルキル基、炭素数１乃至６の炭化水素基、置換または無置換の炭素数６乃至６０の芳香族炭化水素基のいずれか一を表す。）
【化６】
2017139457.tif 000006
（但し、式（ｇ１）中、Ａｒ１、Ａｒ２はそれぞれ独立に、置換または無置換の炭素数６乃至６０の芳香族炭化水素基（ただし、置換基を有する場合、該置換基がジナフトチオフェン基である場合を除く）、下記式（ｇ２）で表される基のいずれか一を表す。）
【化７】
2017139457.tif 000007
（但し、式（ｇ２）中、Ｒ１１乃至Ｒ１８はそれぞれ独立に、水素、炭素数１乃至６の炭化水素基、炭素数３乃至６の環式炭化水素基、炭素数１乃至６のアルコキシ基、シアノ基、ハロゲン、炭素数１乃至６のハロアルキル基、置換または無置換の炭素数６乃至６０の芳香族炭化水素基のいずれか一を表す。また、Ｚ１およびＺ２のどちらか一方が式（ｇ１）における窒素原子と結合しており、他方が水素、炭素数３乃至６の環式炭化水素基、炭素数１乃至６のアルコキシ基、シアノ基、ハロゲン、炭素数１乃至６のハロアルキル基、炭素数１乃至６の炭化水素基、置換または無置換の炭素数６乃至６０の芳香族炭化水素基のいずれか一を表す。）
【請求項３】
一対の電極間に、下記式（Ｇ１）で表される有機化合物を有する発光素子。
【化８】
2017139457.tif 000008
（但し、式（Ｇ１）中、Ｒ１乃至Ｒ８はそれぞれ独立に、水素、炭素数１乃至６の炭化水素基、炭素数３乃至６の環式炭化水素基、炭素数１乃至６のアルコキシ基、シアノ基、ハロゲン、炭素数１乃至６のハロアルキル基、置換または無置換の炭素数６乃至６０の芳香族炭化水素基のいずれか一を表す。また、ＡおよびＢはそのどちらか一方が下記式（ｇ１）で表される基であり、他方が水素、炭素数３乃至６の環式炭化水素基、炭素数１乃至６のアルコキシ基、シアノ基、ハロゲン、炭素数１乃至６のハロアルキル基、炭素数１乃至６の炭化水素基、置換または無置換の炭素数６乃至６０の芳香族炭化水素基のいずれか一を表す。）
【化９】
2017139457.tif 000009
（但し、式（ｇ１）中、Ａｒ１、Ａｒ２はそれぞれ独立に、置換または無置換の炭素数６乃至６０の芳香族炭化水素基（ただし、置換基を有する場合、該置換基がジベンゾチオフェン骨格を有する場合を除く）、下記式（ｇ２）で表される基のいずれか一を表す。）
【化１０】
2017139457.tif 000010
（但し、式（ｇ２）中、Ｒ１１乃至Ｒ１８はそれぞれ独立に、水素、炭素数１乃至６の炭化水素基、炭素数３乃至６の環式炭化水素基、炭素数１乃至６のアルコキシ基、シアノ基、ハロゲン、炭素数１乃至６のハロアルキル基、置換または無置換の炭素数６乃至６０の芳香族炭化水素基のいずれか一を表す。また、Ｚ１およびＺ２のどちらか一方が式（ｇ１）における窒素原子と結合しており、他方が水素、炭素数３乃至６の環式炭化水素基、炭素数１乃至６のアルコキシ基、シアノ基、ハロゲン、炭素数１乃至６のハロアルキル基、炭素数１乃至６の炭化水素基、置換または無置換の炭素数６乃至６０の芳香族炭化水素基のいずれか一を表す。）
【請求項４】
請求項１乃至請求項３のいずれか一において、
前記式（ｇ１）で表される基が下記式（ｇ３）で表される基である発光素子。
【化１１】
2017139457.tif 000011
（但し、式（ｇ３）において、Ａｒ３、Ａｒ４はそれぞれ独立に、置換または無置換の芳香族炭化水素基、置換または無置換のベンゾナフトフラニル基、置換または無置換のジナフトフラニル基のいずれか一を表す。また、Ａｒ５、Ａｒ６はそれぞれ独立に、置換または無置換の芳香族炭化水素基を表し、ｎおよびｍはそれぞれ独立に、０または１を表す。なお、Ａｒ３とＡｒ５の炭素数を足した数と、Ａｒ４とＡｒ６の炭素数を足した数は各々６０以下であるものとする。）
【請求項５】
請求項４において、
前記Ａｒ３および前記Ａｒ４がそれぞれ独立に、置換または無置換のフェニル基、置換または無置換のナフチル基、置換または無置換のアントラセニル基、置換または無置換のピレニル基のいずれか一である発光素子。
【請求項６】
請求項４または請求項５において、
前記Ａｒ５及び前記Ａｒ６がそれぞれ独立に、置換または無置換のフェニレン基、置換または無置換のナフチレン基、置換または無置換のアントラセニレン基、置換または無置換のピレニレン基のいずれか一である発光素子。
【請求項７】
請求項４乃至請求項６のいずれか一項において、
前記Ａｒ３および前記Ａｒ４がフェニル基である発光素子。
【請求項８】
請求項４乃至請求項７のいずれか一項において、
前記Ａｒ５および前記Ａｒ６がフェニレン基である発光素子。
【請求項９】
請求項４乃至請求項８のいずれか一項において、
前記ｎおよび前記ｍの一方が１であり、他方が０である発光素子。
【請求項１０】
一対の電極間に、下記式で表される有機化合物を有する発光素子。
【化１２】
2017139457.tif 000012
【請求項１１】
一対の電極間に、下記式で表される有機化合物を有する発光素子。
【化１３】
2017139457.tif 000013
【請求項１２】
一対の電極間に、下記式で表される有機化合物を有する発光素子。
【化１４】
2017139457.tif 000014
【請求項１３】
一対の電極間に、下記式で表される有機化合物を有する発光素子。
【化１５】
2017139457.tif 000015
【請求項１４】
置換または無置換のベンゾナフトフラン骨格と、置換または無置換のアミン骨格とを有する有機化合物（ただし、前記ベンゾナフトフラン骨格の他に、ジベンゾチオフェン骨格およびジベンゾフラン骨格を有さない）を含む、正孔輸送層用材料。
【請求項１５】
第１の置換基、第２の置換基、第３の置換基を有するアミン骨格を有する有機化合物を含み、
前記第１の置換基は、置換または無置換のベンゾナフトフラン骨格を有し、
前記第２の置換基および前記第３の置換基は、ジベンゾチオフェン骨格およびジベンゾフラン骨格を有さない、正孔輸送層用材料。
【請求項１６】
置換または無置換のベンゾナフトフラン骨格と、置換または無置換のアミン骨格とを有する有機化合物を含み、
前記アミン骨格の窒素は、前記ベンゾナフトフラン骨格と直接結合し、
前記アミン骨格の他の置換基は、ジベンゾチオフェン骨格およびジベンゾフラン骨格を有さない、正孔輸送層用材料。
【請求項１７】
請求項１４乃至請求項１６のいずれか一項において、
前記アミン骨格が前記ベンゾナフトフラン骨格の６位または８位に結合する正孔輸送層用材料。
【請求項１８】
請求項１４乃至請求項１７のいずれか一項に記載の正孔輸送層用材料を有する発光素子。
【請求項１９】
置換または無置換のベンゾナフトフラン骨格と、置換または無置換のアミン骨格とを有する有機化合物（ただし、前記ベンゾナフトフラン骨格の他に、ジベンゾチオフェン骨格およびジベンゾフラン骨格を有さない）を含む、発光素子用材料。
【請求項２０】
第１の置換基、第２の置換基、第３の置換基を有するアミン骨格を有する有機化合物を含み、
前記第１の置換基は、置換または無置換のベンゾナフトフラン骨格を有し、
前記第２の置換基および前記第３の置換基は、ジベンゾチオフェン骨格およびジベンゾフラン骨格を有さない、発光素子用材料。
【請求項２１】
置換または無置換のベンゾナフトフラン骨格と、置換または無置換のアミン骨格とを有する有機化合物を含み、
前記アミン骨格の窒素は、前記ベンゾナフトフラン骨格と直接結合し、
前記アミン骨格の他の置換基は、ジベンゾチオフェン骨格およびジベンゾフラン骨格を有さない、発光素子用材料。
【請求項２２】
請求項１９乃至請求項２１のいずれか一項において、
前記アミン骨格が前記ベンゾナフトフラン骨格の６位または８位に結合する発光素子用材料。
【請求項２３】
請求項１９乃至請求項２２のいずれか一項に記載の発光素子用材料を有する発光素子。
【請求項２４】
請求項１乃至請求項１３、請求項１８、及び請求項２３のいずれか一項に記載の発光素子と、トランジスタ、または基板と、を有する発光装置。
【請求項２５】
請求項２４に記載の発光装置と、センサ、操作ボタン、スピーカ、またはマイクと、を有する電子機器。
【請求項２６】
請求項２４に記載の発光装置と、筐体と、を有する照明装置。